(57)【要約】【課題】一対の鋏片を枢軸により互いに交差した状態で枢支し、一方の鋏片の先端部に切刃部を設けると共に他方の鋏片の先端部に受刃部を設け、両鋏片の基部に操作部を設け、上記受刃部に上記切刃部の刃縁が対向可能な受面部を設けてなるから、切断に伴う反力が切刃部及び受刃部に左右に偏位して掛かることを抑制することができ、このため、切刃部と受刃部との対向側面の隙間の開きを防ぐことができ、それだけ、切断力を有効に切断対象物に掛けることができ、多少の硬さの切断対象物をも切断することができると共に切刃部の損傷を防ぐことができる。【解決手段】一対の鋏片１・２を枢軸３により互いに交差した状態で枢支し、一方の鋏片の先端部に切刃部４を設けると共に他方の鋏片の先端部に受刃部５を設け、両鋏片の基部に操作部６・７を設けてなる。【選択図】図１
2006246726.tif 000002
【特許請求の範囲】
【請求項１】
一対の鋏片を枢軸により互いに交差した状態で枢支し、一方の鋏片の先端部に切刃部を設けると共に他方の鋏片の先端部に受刃部を設け、両鋏片の基部に操作部を設けてなり、上記受刃部に上記切刃部の刃縁が対向可能な受面部を設けてなることを特徴とする鋏構造。
【請求項２】
上記受刃部に上記受面部をもつ受部材を設けてなることを特徴とする請求項１記載の鋏構造。
【請求項３】
上記他方の鋏片の先端部を上記切刃部の刃縁が上記受面部に対向する位置に折曲形成してなることを特徴とする鋏構造。
【請求項４】
上記切刃部を取替可能な着脱機構を設けてなることを特徴とする請求項１〜３のいずれか１項に記載の鋏構造。
【請求項５】
上記受面部に上記切刃部の刃縁が没入可能な逃げ部を設けてなることを特徴とする請求項１〜４のいずれか１項に記載の鋏構造。
【請求項６】
上記請求項１〜５のいずれか１項に記載の上記鋏構造を備えてなることを特徴とする鋏。
【発明の詳細な説明】
【技術分野】
【０００１】
本発明は、例えば、園芸用剪定鋏、高枝切り鋏等の各種の鋏に用いられる鋏構造及び鋏に関するものである。
【背景技術】
【０００２】
従来、この種の鋏構造として、一対の鋏片を枢軸により互いに交差した状態で枢支し、一方の鋏片の先端部に切刃部を設けると共に他方の鋏片の先端部に受刃部を設け、両鋏片の基部に握持部を設けてなる構造のものが知られている。
【特許文献１】特開２００３−２２５０１７
【発明の開示】
【発明が解決しようとする課題】
【０００３】
しかしながらこの従来構造の場合、上記切刃部は片刃に形成されて切刃部と受刃部の各対向側面が相互に擦接する構造となっており、このため、受刃部に切断対象物を載せて両握持部を握持することにより切刃部により切断対象物を切断する際、例えば、硬い枝のような大きな切断力が必要な切断対象物であると、切刃部と受刃部との対向側面の隙間が開き、切断が不可能となったり、切刃部の損傷を受けることがあるという不都合を有している。
【課題を解決するための手段】
【０００４】
本発明はこれらの不都合を解決することを目的とするもので、本発明のうちで、請求項１記載の発明は、一対の鋏片を枢軸により互いに交差した状態で枢支し、一方の鋏片の先端部に切刃部を設けると共に他方の鋏片の先端部に受刃部を設け、両鋏片の基部に操作部を設けてなり、上記受刃部に上記切刃部の刃縁が対向可能な受面部を設けてなることを特徴とする鋏構造ことを特徴とする鋏構造にある。
【０００５】
又、請求項２記載の発明は、上記受刃部に上記受面部をもつ受部材を設けてなることを特徴とするものであり、又、請求項３記載の発明は、上記他方の鋏片の先端部を上記切刃部の刃縁が上記受面部に対向する位置に折曲形成してなることを特徴とするものであり、又、請求項４記載の発明は、上記切刃部を取替可能な着脱機構を設けてなることを特徴とするものであり、又、請求項５記載の発明は、上記受面部に上記切刃部の刃縁が没入可能な逃げ部を設けてなることを特徴とするものである。
【０００６】
又、請求項６記載の発明は、上記請求項１〜５のいずれか１項に記載の上記鋏構造を備えてなることを特徴とする鋏である。
【発明の効果】
【０００７】
本発明は上述の如く、請求項１又は６記載の発明にあっては、一対の鋏片を枢軸により互いに交差した状態で枢支し、一方の鋏片の先端部に切刃部を設けると共に他方の鋏片の先端部に受刃部を設け、両鋏片の基部に操作部を設け、上記受刃部に上記切刃部の刃縁が対向可能な受面部を設けてなるから、切断に伴う反力が切刃部及び受刃部に左右に偏位して掛かることを抑制することができ、このため、切刃部と受刃部との対向側面の隙間の開きを防ぐことができ、それだけ、切断力を有効に切断対象物に掛けることができ、多少の硬さの切断対象物をも切断することができると共に切刃部の損傷を防ぐことができる。
【０００８】
又、請求項２記載の発明にあっては、上記受刃部に上記受面部をもつ受部材を設けてなるから、上記受刃部に上記切刃部の刃縁が対向可能な受面部を容易に設けることができ、製作コストを低減することができ、又、請求項３記載の発明にあっては、上記他方の鋏片の先端部を上記切刃部の刃縁が上記受面部に対向する位置に折曲形成してなるから、容易に受面部を設けることができ、又、請求項４記載の発明にあっては、上記切刃部を取替可能な着脱機構を設けてなるから、摩耗に伴う切刃部の取り替えを容易に行うことができ、又、請求項５記載の発明にあっては、上記受面部に上記切刃部の刃縁が没入可能な逃げ部を設けているから、確実に切断を終了することができると共に切刃部の損傷を防ぐことができる。
【発明を実施するための最良の形態】
【０００９】
図１乃至図１３は本発明の実施の形態例を示し、図１乃至図７は第一形態例、図８は第二形態例、図９乃至図１３は第三形態例である。
【００１０】
図１乃至図７の第一形態例において、１・２は一対の鋏片であって、枢軸３により互いに交差した状態で枢支され、一方の鋏片１の先端部に切刃部４を設けると共に他方の鋏片２の先端部に受刃部５を設け、両鋏片１・２の基部に握持部としての操作部６・７を設けて構成している。
【００１１】
この場合、上記切刃部４を着脱機構Ｋにより取替可能に構成され、即ち、一方の鋏片１に二個の位置決めピンＫ1・Ｋ1を植設し、替刃体４ａに位置決め穴Ｋ2・Ｋ2を形成し、位置決めピンＫ1・Ｋ1を位置決め穴Ｋ2・Ｋ2に嵌合することにより替刃体４ａを取り替え自在に設けて構成している。
【００１２】
この場合、上記受刃部５の側面に上記切刃部４の刃縁Ｈが対向可能な受面部８をもつ合成樹脂製又は金属製の受部材９をリベット１０により止着して構成している。
【００１３】
１１は逃げ部であって、上記切刃部４の刃縁Ｈが没入可能な切欠状に形成され、かつ、この場合、受刃部５の側面上部に逃げ面１２を形成している。
【００１４】
１３は戻し用バネ、１４は止め金であり、一対の鋏片１・２を戻し用バネ１３により開動作させると共に止め金１４により閉止可能に構成している。
【００１５】
この実施の第一形態例は上記構成であるから、受刃部５に切断対象物を載せ、両握持部としての両操作部６・７を握持することにより切刃部４は受刃部５上の切断対象物を切断することになり、この際、上記受刃部５に上記切刃部４の刃縁Ｈが対向可能な受面部８を設けてなるから、切断に伴う反力が切刃部４及び受刃部５に左右に偏位して掛かることを抑制することができ、このため、切刃部４と受刃部５との対向側面の隙間の開きを防ぐことができ、それだけ、切断力を有効に切断対象物に掛けることができ、多少の硬さの切断対象物をも切断することができると共に切刃部４の損傷を防ぐことができる。
【００１６】
この場合、上記受刃部５に上記受面部８をもつ受部材９を設けてなるから、上記受刃部５に上記切刃部４の刃縁Ｈが対向可能な受面部８を容易に設けることができ、製作コストを低減することができ、又、この場合、上記切刃部４を取替可能な着脱機構Ｋを設けてなるから、摩耗に伴う切刃部４の取り替えを容易に行うことができ、又、この場合、上記受面部８に上記切刃部４の刃縁Ｈが没入可能な逃げ部１１を設けているから、確実に切断を終了することができると共に切刃部４の損傷を防ぐことができる。
【００１７】
図８の第二形態例は別例構造を示し、この場合、上記一方の鋏片１の先端部に設けた切刃部４の刃縁Ｈ及び他方の鋏片２の先端部に設けた受刃部５の受縁の形状を弧状に形成したものである。
【００１８】
この実施の第二形態例は上記構成であるから、上記第一形態例と同様な作用効果を得ることができると共に切刃部４の刃縁Ｈ及び受刃部５の受縁の形状が弧状に形成されていることにより断面形状が円形状の剪断対象物を良好に切断することができる。
【００１９】
図９乃至図１３の第三形態例は別例構造を示し、この場合、上記他方の鋏片２の先端部を上記切刃部４の刃縁Ｈが上記受面部８に対向する位置に折曲部２ａで折曲形成し、上記受刃部５に上記切刃部４の刃縁Ｈが当接する合成樹脂製の緩衝部１５を接着等により設け、上記受面部８の緩衝部１５に上記切刃部４の刃縁Ｈが没入可能な逃げ部１１を設けて構成している。
【００２０】
この実施の第三形態例は上記構成であるから、上記他方の鋏片２の先端部を上記切刃部４の刃縁Ｈが上記受面部８に対向する位置に折曲形成することにより容易に受面部５を設けることができ、上記第一形態例と同様に切断に伴う反力が切刃部４及び受刃部５に左右に偏位して掛かることを抑制することができ、このため、切刃部４と受刃部５との対向側面の隙間の開きを防ぐことができ、それだけ、切断力を有効に切断対象物に掛けることができ、多少の硬さの切断対象物をも切断することができ、切刃部４の損傷を防ぐことができる。
【００２１】
尚、本発明は上記実施の形態例に限られるものではなく、鋏片１・２、切刃部４、受刃部５の形態、構造、材質等は適宜変更して設計され、又、上記形態例においては、剪定鋏に適用しているが、高枝切鋏等にも適用することができる。
【００２２】
以上、所期の目的を充分達成することができる。
【図面の簡単な説明】
【００２３】
【図１】本発明の実施の第一形態例の全体正面図である。
【図２】本発明の実施の第一形態例の部分斜視図である。
【図３】本発明の実施の第一形態例の部分分離斜視図である。
【図４】本発明の実施の第一形態例の部分拡大正面図である。
【図５】本発明の実施の第一形態例の部分断面図である。
【図６】本発明の実施の第一形態例の部分縦断面図である。
【図７】本発明の実施の第一形態例の全体正面図である。
【図８】本発明の実施の第二形態例の部分正面図である。
【図９】本発明の実施の第三形態例の部分正面図である。
【図１０】本発明の実施の第三形態例の部分斜視図である。
【図１１】本発明の実施の第三形態例の部分分離斜視図である。
【図１２】本発明の実施の第三形態例の部分断面図である。
【図１３】本発明の実施の第三形態例の部分断面図である。
【符号の説明】
【００２４】
Ｋ    着脱機構
Ｈ    刃縁
１    鋏片
２    鋏片
４    切刃部
５    受刃部
６    操作部
７    操作部
８    受面部
９    受部材
１１    逃げ部
【図１】
2006246726.tif 000003
【図２】
2006246726.tif 000004
【図３】
2006246726.tif 000005
【図４】
2006246726.tif 000006
【図５】
2006246726.tif 000007
【図６】
2006246726.tif 000008
【図７】
2006246726.tif 000009
【図８】
2006246726.tif 000010
【図９】
2006246726.tif 000011
【図１０】
2006246726.tif 000012
【図１１】
2006246726.tif 000013
【図１２】
2006246726.tif 000014
【図１３】
2006246726.tif 000015